(57)【要約】【課題】  開口部を有する床パネルであっても、床パネルの耐力、防振性を確保すること。【解決手段】  床パネル１０の補強構造において、側根太１１の高さが、端根太１２の高さより大きくされ、側根太１１の端根太１２が接合される端部の下側に継ぎ下枠１５を嵌め込む切欠き１１Ａが設けられ、継ぎ下枠１５の端根太１２よりも側根太１１の側へ突出する突出部１５Ａを上記切欠き１１Ａに嵌め込んでなるもの。【選択図】  図１
2010070959.tif 000002
【特許請求の範囲】
【請求項１】
床パネルの最外縁の根太である側根太、この側根太の端部に直交して接合された端根太、及びこの端根太の下側に取り付けられる継ぎ下枠とが組まれて形成されてなる方形の床パネルの補強構造において、
側根太の高さが、端根太の高さより大きくされ、
側根太の端根太が接合される端部の下側に継ぎ下枠を嵌め込む切欠きが設けられ、継ぎ下枠の端根太よりも側根太の側へ突出する突出部を上記切欠きに嵌め込んでなることを特徴とする床パネルの補強構造。
【請求項２】
前記床パネルの相対する側根太と、１つの端根太に囲まれる空間を開口部としてなる請求項１に記載の床パネルの補強構造。
【請求項３】
床パネルの最外縁の根太である側根太、この側根太の端部に直交して接合された端根太、及びこの端根太の下側に取り付けられる継ぎ下枠とが組まれて形成されてなる方形の床パネルの補強構造において、
上記床パネルに隣接床パネルを隣接配置し、上記床パネルの側根太に添う隣接床パネルの側根太を補強側根太として補強してなるとともに上記床パネルの側根太と接合してなることを特徴とする床パネルの補強構造。
【請求項４】
前記隣接床パネルの補強側根太の幅を、前記床パネルの側根太の幅より大きくしてなる請求項３に記載の床パネルの補強構造。
【請求項５】
前記床パネルの相対する側根太と、１つの端根太に囲まれる空間を開口部としてなる請求項３又は４に記載の床パネルの補強構造。
【発明の詳細な説明】
【技術分野】
【０００１】
本発明は建物の床を構成する床パネルの補強構造に関する。
【背景技術】
【０００２】
階段の吹き抜け等を形成するための開口部を設けた床パネルにおいて、開口部が設けられて根太が減少したことによる床パネルの曲げやねじれの剛性低下を補強し、耐力、防振性を確保するため、特許文献１に記載の如く、端根太の幅を継ぎ下枠の幅と略同じに拡大するものがある。
【特許文献１】特許3877421
【発明の開示】
【発明が解決しようとする課題】
【０００３】
特許文献１に記載の床パネルの補強構造にあっては、床パネルの相対する側根太と、１つの端根太に囲まれる空間を開口部とするとき、端根太の幅を拡大した分だけ、開口部の開口面積が狭くなるという不都合がある。
【０００４】
本発明の課題は、開口部を有する床パネルであっても、床パネルの耐力、防振性を確保することにある。
【課題を解決するための手段】
【０００５】
請求項１の発明は、床パネルの最外縁の根太である側根太、この側根太の端部に直交して接合された端根太、及びこの端根太の下側に取り付けられる継ぎ下枠とが組まれて形成されてなる方形の床パネルの補強構造において、側根太の高さが、端根太の高さより大きくされ、側根太の端根太が接合される端部の下側に継ぎ下枠を嵌め込む切欠きが設けられ、継ぎ下枠の端根太よりも側根太の側へ突出する突出部を上記切欠きに嵌め込んでなるようにしたものである。
【０００６】
請求項２の発明は、請求項１の発明において更に、前記床パネルの相対する側根太と、１つの端根太に囲まれる空間を開口部としてなるようにしたものである。
【０００７】
請求項３の発明は、床パネルの最外縁の根太である側根太、この側根太の端部に直交して接合された端根太、及びこの端根太の下側に取り付けられる継ぎ下枠とが組まれて形成されてなる方形の床パネルの補強構造において、上記床パネルに隣接床パネルを隣接配置し、上記床パネルの側根太に添う隣接床パネルの側根太を補強側根太として補強してなるとともに上記床パネルの側根太と接合してなるようにしたものである。
【０００８】
請求項４の発明は、請求項３の発明において更に、前記隣接床パネルの補強側根太の幅を、前記床パネルの側根太の幅より大きくしてなるようにしたものである。
【０００９】
請求項５の発明は、請求項３又は４の発明において更に、前記床パネルの相対する側根太と、１つの端根太に囲まれる空間を開口部としてなるようにしたものである。
【発明の効果】
【００１０】
（請求項１）
(a)床パネルの側根太の高さを高くし、側根太の端部の下側に設けた切欠きに継ぎ下枠を嵌め込むことで、床パネルの側根太の断面を拡大してその剛性を向上し、床パネルの耐力、防振性を確保できる。
【００１１】
（請求項２）
(b)床パネルの相対する側根太と、１つの端根太に囲まれる空間を開口部としてなる床パネルにおいて、上述(a)により、開口部の開口面積を狭くせずに、床パネルの耐力、防振性を確保できる。
【００１２】
（請求項３）
(c)床パネルの側根太に隣接配置される隣接床パネルの側根太を補強側根太として補強することにより、この補強側根太の剛性を向上できる。従って、この補強側根太が添い設けられて接合されている上記床パネルの側根太も補強されるものになり、上記床パネルの耐力、防振性を確保できる。
【００１３】
（請求項４）
(d)隣接床パネルの補強側根太の幅を、床パネルの側根太の幅より大きくすることにより、補強側根太の断面を拡大してその剛性を向上できる。
【００１４】
（請求項５）
(e)床パネルの相対する側根太と、１つの端根太に囲まれる空間を開口部としてなる床パネルにおいて、上述(c)、(d)により、開口部の開口面積を狭くせずに、床パネルの耐力、防振性を確保できる。
【発明を実施するための最良の形態】
【００１５】
図１は実施例１の床パネルを示す斜視図、図２は床パネルの要部拡大図、図３は下階建物ユニットと上階建物ユニットを示す断面図、図４は実施例２の床パネルと隣接床パネルを示す斜視図、図５は床パネルと隣接床パネルの要部拡大図、図６は床パネルを示す斜視図、図７は隣接床パネルを示す斜視図である。
【実施例】
【００１６】
（実施例１）（図１〜図３）
図１に示す床パネル１０は、最外縁の側根太１１、１１と、この側根太１１、１１に直交してその木口と突きつけの状態で釘打ち接合される端根太１２、１２とにより方形の床枠組を形成される。尚、床パネル１０は、床枠組の内部に、側根太１１に平行をなす複数本の中根太１３と、側根太１１と中根太１３に交差するように取付けられる受け材１４とを設ける。
【００１７】
床パネル１０は、床枠組の裏側において、端根太１２の下側に、この端根太１２の長さ方向に沿うように継ぎ下枠１５を取付ける。継ぎ下枠１５は端根太１２よりも側根太１１の側へ突出する突出部１５Ａを備える。継ぎ下枠１５の突出部１５Ａには、継ぎ下枠１５の長さ方向に沿う複数位置にボルト挿通孔（不図示）が設けられ、このボルト挿通孔には、基礎アンカーボルト又は上階と下階の建物ユニットを緊結する連結ボルトが挿通される。
【００１８】
床パネル１０は、階段の吹き抜け等を形成するために、相対する側根太１１、１１と、１つの端根太１２に囲まれる空間を開口部Ａとする。床パネル１０は、床枠組の開口部Ａ以外の上面に床面材１６が取付けられる（図３）。
【００１９】
しかるに、床パネル１０は、開口部Ａを有しながらも、耐力、防振性を確保するため、以下の構成を具備する。
【００２０】
床パネル１０は、図１、図２に示す如く、側根太１１の高さｈ1が、端根太１２の高さｈ2に、継ぎ下枠１５の高さｈ3を加えた高さとされる。例えば、ｈ1＝273mm、ｈ2＝235mm、ｈ3＝38mmである。
【００２１】
床パネル１０は、側根太１１の端根太１２が接合される端部の下側に継ぎ下枠１５を嵌め込む切欠き１１Ａが設けられ、継ぎ下枠１５の端根太１２よりも側根太１１の側へ突出する突出部１５Ａを切欠き１１Ａに嵌め込む。
【００２２】
図３は、床パネル１０が用いられた建物ユニット１を示すものである。建物ユニット１は、床パネル１０の側縁に沿って壁パネル２０が立設される。壁パネル２０は、縦枠２１、下枠２２、上枠２３により方形の壁枠組が形成され、この壁枠組の内面及び外面には壁面材２４が取付けられる。尚、図３は、下階建物ユニット１の壁パネル２０の上に、上階建物ユニット１の床パネル１０を載置する過程を示すものである。
【００２３】
本実施例によれば以下の作用効果を奏する。
(a)床パネル１０の側根太１１の高さを高くし、側根太１１の端部の下側に設けた切欠き１１Ａに継ぎ下枠１５を嵌め込むことで、床パネル１０の全体の高さを従来と同様にしながら、当該床パネル１０の側根太１１の断面を拡大してその剛性を向上し、床パネル１０の耐力、防振性を確保できる。
【００２４】
(b)床パネル１０の相対する側根太１１と、１つの端根太１２に囲まれる空間を開口部Ａとしてなる床パネル１０において、上述(a)により、開口部Ａの開口面積を狭くせずに、床パネル１０の耐力、防振性を確保できる。
【００２５】
（実施例２）（図４〜図７）
図４、図６に示す床パネル１１０は、最外縁の側根太１１１、１１１と、この側根太１１１、１１１に直交してその木口と突きつけの状態で釘打ち接合される端根太１１２、１１２とにより方形の床枠組を形成される。尚、床パネル１１０は、床枠組の内部に、側根太１１１に平行をなす複数本の中根太１１３と、側根太１１１と中根太１１３に交差するように取付けられる受け材１１４とを設ける。
【００２６】
床パネル１１０は、床枠組の裏側において、端根太１１２の下側に、この端根太１１２の長さ方向に沿うように継ぎ下枠１１５を取付ける。継ぎ下枠１１５は端根太１１２よりも側根太１１１の側へ突出する突出部１１５Ａを備える。継ぎ下枠１１５の突出部１１５Ａには、継ぎ下枠１１５の長さ方向に沿う複数位置にボルト挿通孔（不図示）が設けられ、このボルト挿通孔には、基礎アンカーボルト又は上階と下階の建物ユニットを緊結する連結ボルトが挿通される。
【００２７】
床パネル１１０は、階段の吹き抜け層を形成するために、相対する側根太１１１、１１１と、１つの端根太１１２に囲まれる空間を開口部Ａとする。床パネル１１０は、床枠組の開口部Ａ以外の上面に床面材１１６が取付けられる。
【００２８】
しかるに、床パネル１１０は、開口部Ａを有しながらも、耐力、防振性を確保するため、以下の構成を具備する。
【００２９】
床パネル１１０は建物ユニットの床を構成する形態、又はパネル単独の形態で、建物の一部を形成するとき、図４に示す如く、隣接床パネル１２０を隣接配置して用いられる。
【００３０】
隣接床パネル１２０は、図７に示す如く、基本的には床パネル１１０と同様に、側根太１２１、端根太１２２、中根太１２３、受け材１２４、継ぎ下枠１２５、突出部１２５Ａを備える。尚、図７に示した床パネル１２０は、中根太１２３をＣ形鋼とし、Ｃ形鋼の長さ方向の複数位置の各部で、Ｃ形鋼のウエブとＣ形鋼の上下フランジ部のそれぞれに、ガセットプレート１２６を溶接し、相隣る側根太１２１と中根太１２３、中根太１２３と中根太１２３の間に設けられる受け材１２４をガセットプレート１２６の差し込み溝に差し込み固定する。
【００３１】
そして、床パネル１１０と隣接床パネル１２０とは、床パネル１１０の側根太１１１に沿う隣接床パネル１２０の側根太１２１を補強側根太１２１Ａとし、この補強側根太１２１Ａを補強するとともに、床パネル１１０の側根太１１１と接合することにより、開口部Ａを有する床パネル１１０の耐力、防振性を確保する。側根太１１１と補強側根太１２１Ａとの接合は、両者の間に合板等スペーサーを介在させた状態で両者を貫通する釘を所定数打つことによりなされる。本実施例では、図５に示す如く、隣接床パネル１２０の補強側根太１２１Ａの幅ｗ2を、床パネル１１０の側根太１１１の幅ｗ1より大きくしている。例えば、ｗ1＝38mm、ｗ2＝110mmである。
【００３２】
尚、隣接床パネル１２０の補強側根太１２１Ａの材質を、エンジニアリングウッド、集成材等として床パネル１１０の側根太１１１の材質より強化することにより、補強側根太１２１Ａを補強するものでも良い。
【００３３】
本実施例によれば以下の作用効果を奏する。
(a)床パネル１１０の側根太１１１に隣接配置される隣接床パネル１２０の側根太１２１を補強側根太１２１Ａとして補強することにより、この補強側根太１２１Ａの剛性を向上できる。従って、この補強側根太１２１Ａが添い設けられている上記床パネル１１０の側根太１１１も補強されるものになり、上記床パネル１１０の耐力、防振性を確保できる。
【００３４】
(b)隣接床パネル１２０の補強側根太１２１Ａの幅を、床パネル１１０の側根太１１１の幅より大きくすることにより、補強側根太１２１Ａの断面を拡大してその剛性を向上できる。
【００３５】
(c)床パネル１１０の相対する側根太１１１と、１つの端根太１１２に囲まれる空間を開口部Ａとしてなる床パネル１１０において、上述(a)、(b)により、開口部Ａの開口面積を狭くせずに、床パネル１１０の耐力、防振性を確保できる。
【００３６】
以上、本発明の実施例を図面により詳述したが、本発明の具体的な構成はこの実施例に限られるものではなく、本発明の要旨を逸脱しない範囲の設計の変更等があっても本発明に含まれる。例えば、請求項１に係る発明にあっては、側根太の高さが、端根太の高さより大きいものであれば良く、端根太の高さに継ぎ下枠の高さを超えない小寸法を加えた高さでも良く、端根太の高さに継ぎ下枠の高さを超える大寸法を加えた高さでも良い。
【図面の簡単な説明】
【００３７】
【図１】図１は実施例１の床パネルを示す斜視図である。
【図２】図２は床パネルの要部拡大図である。
【図３】図３は下階建物ユニットと上階建物ユニットを示す断面図である。
【図４】図４は実施例２の床パネルと隣接床パネルを示す斜視図である。
【図５】図５は床パネルと隣接床パネルの要部拡大図である。
【図６】図６は床パネルを示す斜視図である。
【図７】図７は隣接床パネルを示す斜視図である。
【符号の説明】
【００３８】
１０、１１０  床パネル
１１、１１１  側根太
１２、１１２  端根太
１５、１１５  継ぎ下枠
１５Ａ、１１５Ａ  突出部
１２０  隣接床パネル
１２１Ａ  補強側根太
Ａ  開口部
【図１】
2010070959.tif 000003
【図２】
2010070959.tif 000004
【図３】
2010070959.tif 000005
【図４】
2010070959.tif 000006
【図５】
2010070959.tif 000007
【図６】
2010070959.tif 000008
【図７】
2010070959.tif 000009